(57)【特許請求の範囲】
【請求項１】
デジタル衛星放送において放送されている番組を複数のケーブルテレビ網に配信するための情報置換装置であって、
センター局より衛星回線を介して配信された所定の変調方式で変調されたデジタル多チャンネルサービス信号を受信する受信手段と、
上記受信手段が受信した上記所定の変調方式で変調された多チャンネルサービスデジタル信号を復調する復調手段と、
上記復調手段が復調した信号に含まれるＮＩＴ をケーブルテレビ用のＮＩＴに書き換える伝送情報置換手段とを有し、
上記伝送情報置換手段は、複数の衛星によりサービスが行われている場合に、上記復調手段が復調した信号に含まれるＴＳ(Transport Stream)中の当該ＴＳに関するＮＩＴａ(Actual Network Information Table)と他の衛星によって伝送されているＴＳに関わるＮＩＴｏ(Other Network Information Table)の複数のＮＩＴを抽出し、抽出した衛星系のＮＩＴをメモリに一時的に記憶するＮＩＴ抽出手段と、上記ＮＩＴ抽出手段により抽出されメモリに一時的に記憶された衛星系のＮＩＴをケーブル伝送に合ったケーブル用のＮＩＴに変換する制御手段と、上記制御手段により変換されたケーブル用のＮＩＴをメモリに記憶しておき、上記復調手段が復調した信号に含まれる衛星系から送られてくるＴＳ(Transport Stream)のＮＩＴを上記ケーブル用のＮＩＴに順次置き換える置換手段とからなり、上記復調手段が復調した信号に含まれる衛星系から送られてきたＴＳ(Transport Stream)がケーブルネットワークに再送出するＴＳであるか否かを判定し、再送出するＴＳでない場合には上記ＮＩＴ中のサービス・リスト・ディスクリプタ(Service_list_descriptor)とサテライト・デリバリー・ディスクリプタ(Sattelite_delivery_descriptor) をスタッフィング・ディスクリプタ(Stuff_descriptor)に置き換え、再送出するＴＳである場合には再送サービスであるか否かを判定し、再送出するＴＳの上記ＮＩＴ中のサテライト・デリバリー・ディスクリプタ(Sattelite_delivery_descriptor)をケーブル・デリバリー・ディスクリプタ(Cable_delivery_descriptor)に置き換え、再送出しないＴＳは削除し、削除されたＴＳの分を送信機の仕様として取り決められた受信機側で無視されるダミーデータで埋め合わせることを特徴とする情報置換装置。
【請求項２】
デジタル衛星放送において放送されている番組を複数のケーブルテレビ網に配信するための情報置換装置における情報置換方法であって、
センター局より衛星回線を介して配信された所定の変調方式で変調されたデジタル多チャンネルサービス信号を受信する受信ステップと、
受信した上記所定の変調方式で変調された多チャンネルサービスデジタル信号を復調する復調ステップと、
復調した信号に含まれるＮＩＴ をケーブルテレビ用のＮＩＴに書き換える伝送情報置換ステップとを有し、
上記伝送情報置換ステップでは、複数の衛星によりサービスが行われている場合に、上記復調手段が復調した信号に含まれるＴＳ(Transport Stream)中の当該ＴＳに関するＮＩＴａ(Actual Network Information Table)と他の衛星によって伝送されているＴＳに関わるＮＩＴｏ(Other Network Information Table)の複数のＮＩＴを抽出し、抽出した衛星系のＮＩＴをメモリに一時的に記憶し、上記メモリに一時的に記憶された衛星系のＮＩＴをケーブル伝送に合ったケーブル用のＮＩＴに変換し、変換されたケーブル用のＮＩＴをメモリに記憶しておき、上記復調ステップで復調した信号に含まれる衛星系から送られてくるＴＳ(Transport Stream)のＮＩＴを上記ケーブル用のＮＩＴに順次置き換える伝送情報置換処理を行い、上記復調ステップで復調した信号に含まれる衛星系から送られてきたＴＳ(Transport Stream)がケーブルネットワークに再送出するＴＳであるか否かを判定し、再送出するＴＳでない場合には上記ＮＩＴ中のサービス・リスト・ディスクリプタ(Service_list_descriptor)とサテライト・デリバリー・ディスクリプタ(Sattelite_delivery_descriptor) をスタッフィング・ディスクリプタ(Stuff_descriptor)に置き換え、再送出するＴＳである場合には再送サービスであるか否かを判定し、再送出するＴＳの上記ＮＩＴ中のサテライト・デリバリー・ディスクリプタ(Sattelite_delivery_descriptor)をケーブル・デリバリー・ディスクリプタ(Cable_delivery_descriptor)に置き換え、再送出しないＴＳは削除し、削除されたＴＳの分を送信機の仕様として取り決められた受信機側で無視されるダミーデータで埋め合わせることを特徴とする情報置換方法。
【発明の詳細な説明】
【技術分野】
【０００１】
本発明は、情報置換装置及び情報置換方法に関する。
【背景技術】
【０００２】
最近、いわゆるケーブルテレビが遠隔地や難視聴地域以外においても多チャンネルメディアとして普及し始めている。図３０は、ケーブルテレビ受信機の一例を示している。データ受信部７１は、ケーブルテレビ局より送出されるケーブルテレビ信号から受信機制御用信号を抽出し、ホストプロセッサ７２に供給する。なお、このケーブルテレビ信号はアナログ信号である。ホストプロセッサ７２は、受信機制御用信号や視聴者の選局操作に基づいて受信機全体を制御する。受信チューナ７３は、ケーブルテレビ信号から視聴者が選局した番組の信号を抽出してデスクランブラ７４に出力する。デスクランブラ７４は、ＡＭ検波回路７７から供給される同期信号を用いて番組信号のスクランブルを解除し、映像検波回路７５とＡＭ検波回路７７に出力する。映像検波回路７５は、番組信号から映像信号を抽出して復調し、番組信号の残りをＦＭ検波回路７６に出力する。ＦＭ検波回路７６は、音声信号を復調する。
【０００３】
上述したように、ケーブルテレビにおいて、情報（映像信号、音声信号、及び制御用信号）は、アナログ信号として送出されている。したがって、情報を圧縮し、多重化する処理を施すことができないので、ケーブルテレビにおいて供給することができるチャンネル(番組)数は６０チャンネル程度となっている。
【０００４】
ところで、現在、普及しつつあるデジタル多チャンネル衛星放送(例えば、PerfecTV(商標))においては、１００チャンネル以上の放送が実現されており、市場のニーズとして、ケーブルテレビに対しても一層の多チャンネル化が望まれている。
【０００５】
さて、ケーブルテレビにおける一層の多チャンネル化を実現するためには、ケーブルテレビ局において、全ての信号をデジタル化することにより、映像を圧縮して多重化することが考えられるが、これは、ケーブルテレビ局の設備投資、及びランニングコスト等を考慮すると実現困難である。そこで、ケーブルテレビ網に、例えば、PerfecTVのようなデジタル多チャンネル衛星放送を再配信することにより、ケーブルテレビにおける一層の多チャンネル化を実現する方法が考えられる。
【０００６】
ここで、デジタル多チャンネル衛星放送システムについて図３１を参照して説明する。衛星放送サービス事業者１０１の送信部１１１は番組供給事業者から供給されたMPEG圧縮されている番組情報にスクランブルを施して、電子番組案内情報(EPG：Electoric Program Guide)、及び視聴者管理情報等のサービス情報とともに多重化し、直線偏波のＣＳ波として通信衛星１０２に向けて送信する。このＣＳ波は、通信衛星１０２を介してＣＳアンテナ１８１に受信され、受信機１８２に供給される。受信機１８２は、ＣＳ波から所定の番組情報を抽出してテレビジョン受像機１０６に出力する。視聴者管理部１１２は、視聴者にＩＣカード１６０を発行する。視聴者管理部１１２の鍵管理部１１３は、ＩＣカード１６０に対応した視聴可能な番組を管理する。視聴情報処理部１１４は、受信機１８２から通知された視聴情報に基づいて視聴料を計算し、顧客管理部１１５に通知する。顧客管理部１１５は、視聴者に視聴料の請求を行う。
【０００７】
図３２は、受信機１８２の詳細な構成を示している。衛星フロントエンド部１９１の受信チューナ１９２は、ＣＳ波から所定の番組を含むトランスポート・ストリーム(TS: Transport Stream)を抽出し、ＱＰＳＫ復調回路１９３に出力するようになされている。ＱＰＳＫ復調回路１９３は、入力されたＴＳをＱＰＳＫ復調して誤り訂正回路１９４に出力する。誤り訂正回路１９４は、入力されたＴＳの誤り情報を訂正し、トランスポート部１５５に出力する。トランスポート部１５５のデスクランブラ１５６は、衛星放送サービス事業者１０１の送信部１１１においてスクランブルが施されたＴＳを、衛星放送サービス事業者１０１が発行したＩＣカード１６０に記録されているデスクランブル情報を用いて復号 (デスクランブル) し、デマルチプレクサ１５７に出力する。
【０００８】
デマルチプレクサ１５７は、多重化されているプログラム仕様情報(PSI: Program Specific Information) を基に、所定の番組の情報を抽出してＭＰＥＧデコーダ部１５８に供給する。ＭＰＥＧデコーダ部１５８は、入力された番組をＭＰＥＧ伸張し、映像信号と音声信号を生成してテレビジョン受像機１０６に出力する。
【０００９】
ホストプロセッサ１５９は、視聴者の操作に対応して、受信機１８２全体を制御するとともに、受信した有料番組の情報(番組視聴情報)をＩＣカード１６０に記録する。また、ホストプロセッサ１５９は、ＩＣカード１６０に記録されているデスクランブル情報を読み出してデスクランブラ１５６に供給する。さらに、ホストプロセッサ１５９は、通信部１６１を制御して、定期的にＩＣカード１６０に記録された番組視聴情報を視聴情報管理部１１４に通知する。視聴情報管理部１１４は、入力された視聴情報に基づいて、視聴料を計算し、顧客管理部１１５に通知する。
【００１０】
【特許文献１】特開平０９−１９１４５３号公報
【特許文献２】特開平１０−０７９９３１号公報
【特許文献３】特開平０９−２７５５５１号公報
【特許文献４】特開平０９−２３３４５９号公報
【非特許文献１】"ETR 211 Digital broadcasting systems for television; Implementation guidelines for the use of MPEG-2 systems; Guidelines on implementation and usage of service information," European Telecommunications Standards Institute (ETSI), １９９６年  ４月, First Edition, ｐ．１−３２
【非特許文献２】"EN 300 468 V1.3.1 (1998-02) Digital Video Broadcasting (DVB); Specification for service Information (SI) in DVB systems," European Telecommunications Standards Institute (ETSI), １９９８年  ２月
【発明の開示】
【発明が解決しようとする課題】
【００１１】
しかしながら、デジタル多チャンネル衛星放送信号をケーブルテレビ網に配信するには、ケーブルテレビ局１０３において、デジタル多チャンネル衛星放送信号を受信し、多重化された信号を分離して、再度、多重化させる等の処理が必要となり、その設備には多大な費用がかかる。
【００１２】
ところで、複数のケーブルネットワークおいてデジタル多チャンネルサービスを行うには、各ケーブルネットワークに複数の番組をデジタル化し、それを多重化する装置及び顧客管理を行う設備が必要となり、莫大な設備投資・運用コストを必要とする。
【００１３】
また、ＣＳデジタルサービス、ＢＳデジタルサービス、地上デジタルサービスなどメディア毎にサービスの提供方式が異なるので、これらを共通の受信機で受信するためには各ケーブルネットワークにおいて、伝送方式を揃える必要がある。
【００１４】
また、衛星からのサービスをケーブルネットワークにおいて再構成して送出する方式では、実際上ＥＰＧサービスやダウンロードサービスなどのデジタルサービス独自のサービスを受けられなくなってしまう。
【００１５】
本発明は、このような状況に鑑みてなされたものであり、デジタル衛星放送において放送されている番組を複数のケーブルテレビ網に低コストで配信することを可能にした情報置換装置及び情報置換方法を提供することを目的とする。
【課題を解決するための手段】
【００１６】
本発明は、デジタル衛星放送において放送されている番組を複数のケーブルテレビ網に配信するための情報置換装置であって、センター局より衛星回線を介して配信された所定の変調方式で変調されたデジタル多チャンネルサービス信号を受信する受信手段と、上記受信手段が受信した上記所定の変調方式で変調された多チャンネルサービスデジタル信号を復調する復調手段と、上記復調手段が復調した信号に含まれるＮＩＴ をケーブルテレビ用のＮＩＴに書き換える伝送情報置換手段とを有し、上記伝送情報置換手段は、複数の衛星によりサービスが行われている場合に、上記復調手段が復調した信号に含まれるＴＳ(Transport Stream)中の当該ＴＳに関するＮＩＴａ(Actual Network Information Table)と他の衛星によって伝送されているＴＳに関わるＮＩＴｏ(Other Network Information Table)の複数のＮＩＴを抽出し、抽出した衛星系のＮＩＴをメモリに一時的に記憶するＮＩＴ抽出手段と、上記ＮＩＴ抽出手段により抽出されメモリに一時的に記憶された衛星系のＮＩＴをケーブル伝送に合ったケーブル用のＮＩＴに変換する制御手段と、上記制御手段により変換されたケーブル用のＮＩＴをメモリに記憶しておき、上記復調手段が復調した信号に含まれる衛星系から送られてくるＴＳ(Transport Stream)のＮＩＴを上記ケーブル用のＮＩＴに順次置き換える置換手段とからなり、上記復調手段が復調した信号に含まれる衛星系から送られてきたＴＳ(Transport Stream)がケーブルネットワークに再送出するＴＳであるか否かを判定し、再送出するＴＳでない場合には上記ＮＩＴ中のサービス・リスト・ディスクリプタ(Service_list_descriptor)とサテライト・デリバリー・ディスクリプタ(Sattelite_delivery_descriptor) をスタッフィング・ディスクリプタ(Stuff_descriptor)に置き換え、再送出するＴＳである場合には再送サービスであるか否かを判定し、再送出するＴＳの上記ＮＩＴ中のサテライト・デリバリー・ディスクリプタ(Sattelite_delivery_descriptor)をケーブル・デリバリー・ディスクリプタ(Cable_delivery_descriptor)に置き換え、再送出しないＴＳは削除し、削除されたＴＳの分を送信機の仕様として取り決められた受信機側で無視されるダミーデータで埋め合わせることを特徴とする。
【００１７】
また、本発明は、デジタル衛星放送において放送されている番組を複数のケーブルテレビ網に配信するための情報置換装置における情報置換方法であって、センター局より衛星回線を介して配信された所定の変調方式で変調されたデジタル多チャンネルサービス信号を受信する受信ステップと、受信した上記所定の変調方式で変調された多チャンネルサービスデジタル信号を復調する復調ステップと、復調した信号に含まれるＮＩＴ をケーブルテレビ用のＮＩＴに書き換える伝送情報置換ステップとを有し、上記伝送情報置換ステップでは、複数の衛星によりサービスが行われている場合に、上記復調手段が復調した信号に含まれるＴＳ(Transport Stream)中の当該ＴＳに関するＮＩＴａ(Actual Network Information Table)と他の衛星によって伝送されているＴＳに関わるＮＩＴｏ(Other Network Information Table)の複数のＮＩＴを抽出し、抽出した衛星系のＮＩＴをメモリに一時的に記憶し、上記メモリに一時的に記憶された衛星系のＮＩＴをケーブル伝送に合ったケーブル用のＮＩＴに変換し、変換されたケーブル用のＮＩＴをメモリに記憶しておき、上記復調ステップで復調した信号に含まれる衛星系から送られてくるＴＳ(Transport Stream)のＮＩＴを上記ケーブル用のＮＩＴに順次置き換える伝送情報置換処理を行い、上記復調ステップで復調した信号に含まれる衛星系から送られてきたＴＳ(Transport Stream)がケーブルネットワークに再送出するＴＳであるか否かを判定し、再送出するＴＳでない場合には上記ＮＩＴ中のサービス・リスト・ディスクリプタ(Service_list_descriptor)とサテライト・デリバリー・ディスクリプタ(Sattelite_delivery_descriptor) をスタッフィング・ディスクリプタ(Stuff_descriptor)に置き換え、再送出するＴＳである場合には再送サービスであるか否かを判定し、再送出するＴＳの上記ＮＩＴ中のサテライト・デリバリー・ディスクリプタ(Sattelite_delivery_descriptor)をケーブル・デリバリー・ディスクリプタ(Cable_delivery_descriptor)に置き換え、再送出しないＴＳは削除し、削除されたＴＳの分を送信機の仕様として取り決められた受信機側で無視されるダミーデータで埋め合わせることを特徴とする。
【発明の効果】
【００１８】
本発明によれば、センター局から衛星回線を介してデジタル多チャンネルサービス信号を複数のケーブルネットワーク局に配信し、上記センター局から衛星回線を介して配信されたデジタル多チャンネルサービス信号を変調変換によりケーブル伝送用のデジタル多チャンネルサービス信号に変換して、各ケーブルネットワーク局からケーブルネットワークを介して受信端末装置に配信することによって、デジタル衛星放送において放送されている番組をケーブルテレビ網に低コストで配信することができる。
【発明を実施するための最良の形態】
【００１９】
本発明は、例えば図１に示すような構成の情報配信システムに適用される。
【００２０】
なお、本明細書においてシステムの用語は、複数の装置、手段などにより構成される全体的な装置を意味するものである。
【００２１】
この情報配信システムは、番組情報の送出及び顧客の管理を行うセンター局１と、センター局１から通信衛星２による衛星回線を介して送信されてくるデジタル多チャンネルサービス信号を受信して、各自のケーブルテレビ網４1〜４nに送出する複数のケーブルテレビ局３1〜３nと、各ケーブルテレビ網４1〜４nに接続された複数の受信端末装置５11〜５nmによって構成される。
【００２２】
センター局１は、図２に示すように、番組情報を送出するための送信部１１と、及び顧客の管理を行うための視聴者管理部１２を備える。上記送信部１１は、番組供給事業者から供給されたMPEG圧縮されている番組情報にスクランブルを施して、電子番組案内情報(EPG：Electoric Program Guide)、及び視聴者管理情報等のサービス情報とともに多重化し、直線偏波のＣＳ波として通信衛星２に向けて送信する。また、視聴者管理部１２は、視聴者にＩＣカード６０を発行する。視聴者管理部１２の鍵管理部１３は、ＩＣカード６０に対応した視聴可能な番組を管理する。さらに、視聴情報処理部１４は、受信端末装置５の受信機６から通知された視聴情報に基づいて視聴料を計算し、ケーブルテレビ局３の顧客管理部３５に通知する。
【００２３】
ケーブルテレビ局３は、通信衛星２から送られてくるＣＳ波をＣＳアンテナ３１により受信し、地上波を用いたテレビジョン放送の電波を地上波アンテナ３２により受信し、放送衛星(図示せず)から送られてくる衛星放送の電波 (以下、ＢＳ波と記述する) をＢＳアンテナ３３により受信して、配信部３４により、入力されたＣＳ波とアナログ放送波(地上波及びＢＳ波)を混合し、その混合波をケーブルテレビ網４を介して受信端末装置５の受信機６に配信する。また、顧客管理部３５は、衛星放送サービス事業者１の視聴情報処理部１４からの視聴料情報に基づいて、視聴者に視聴料の請求を行う。
【００２４】
そして、受信端末装置５の受信機６は、入力された混合波から所定の番組情報を抽出し、テレビジョン受像機７に出力する。テレビジョン受像機７は、入力された番組情報を表示する。
【００２５】
ここで、通信衛星２より送られてくるデジタル多チャンネルサービス信号について説明する。この実施の形態において、このデジタル多チャンネルサービス信号は、ＤＶＢ(Digital Video Broadcasting)システムに対応したものである。図３の(Ｂ)はＤＶＢシステムにおけるデジタル放送データのフレーム構成を示しており、８個のＭＰＥＧ２トランスポートパケット(図３の(Ａ)参照)で１フレームが構成されている。この場合、パケット内の同期バイト(＝４７Ｈ)を用い、８パケットに１回同期バイトを反転(＝Ｂ８Ｈ)させてフレーム同期を得る構成となっている。なお、各ＭＰＥＧ２トランスポートパケット(ＭＰＥＧ２ＴＳパケット)には、リードソロモン(２０４，１８８)による誤り訂正符号が付加される。図３の(Ｂ)に示すデジタル放送データは、衛星系ではさらに畳み込み符号化 (ＤＶＢでは、バンクチュアド符号レート；１／２，２／３，３／４，５／６，７／８が規定されている。) が施された後、ＱＰＳＫ(Quadrature Phase Shift Keying)変調され、その後に伝送周波数帯域に周波数変換されて通信衛星２より通信回線を介して送信される。
【００２６】
図４は、ＭＰＥＧ２トランスポートパケットのパケット構成を示しており、１８８バイトのうち先頭の４バイトはパケットヘッダを構成している。パケットヘッダには該当パケットの個別ストリーム(データ列)の属性を示すパケット識別子(PID: Packet Identification)が配されている。ＭＰＥＧ２トランスポートパケットのペイロード(データ部)には、周知のように図５にパケット構成を示すＰＥＳ(Packetized Elementary Stream)パケットが再分割されて配されるとともに、さらにＭＰＥＧ２システムの中で規定されているプログラム仕様情報(PSI:Program Specific Information)としてのプログラム・アソシエーション・テーブル(PAT:Program Association Table)、プログラム・マップ・テーブル(PMT:ProgramMap Table)、ネットワーク・インフォメーション・テーブル(NIT:Network Information Table)等のテーブル類もセクション形式によって配される。
【００２７】
ここで、ＰＳＩは簡便な選局操作及びプログラム選択を実現するために必要な情報である。ＰＡＴは各プログラム番号(１６ビット)毎に、そのプログラムを構成するパケットの情報を伝送するＰＭＴのＰＩＤを示すものであり、図６はＰＡＴのテーブル構造を示している。ＰＡＴ自体のＰＩＤとしては、固定的にＰＩＤ＝“０ｘ００００”が割り当てられる。
【００２８】
主な内容について説明する。テーブルＩＤは、テーブルの種別を示すものであって、ＰＡＴでは“０ｘ００”(１６進表記)である。ＴＳ ＩＤ は、ストリーム(多重化された符号化データ)を識別するものであって、衛星の場合はトランスポンダに相当する。バージョン番号は、テーブルの内容が更新される都度加算される。カレント・ネクスト・インジケータは、新旧バージョンを同時に伝送する際の識別に用いられる。プログラム番号は、個々のチャネルを識別するものである。ネットワークＰＩＤは、プログラム番号が“０ｘ００００”の場合に、ＮＩＴのＰＩＤを示すものである。プログラム・マップＰＩＤは、ＰＭＴのＰＩＤを示すものである。
【００２９】
また、ＰＭＴは、各プログラム番号毎に、そのプログラムを構成する映像、音声、付加データ等のストリームが伝送されるパケットのＰＩＤを示すものである。ＰＭＴ自体のＰＩＤは、上述したようにＰＡＴで指定される。図７は、ＰＭＴのテーブル構造を示している。ＰＡＴと重複しない主な内容について説明する。テーブルＩＤは、テーブルの種別を示すものであって、ＰＭＴでは“０ｘ０２”である。ＰＣＲ ＰＩＤは復号する際の基準となるクロック(PCR:Program ClockReference)が含まれるパケットのＰＩＤを示すものである。ストリーム・タイプは、映像、音声、付加データ等、ストリームで伝送される信号の種類を示すものである。
【００３０】
また、ＮＩＴは、伝送路に関する物理的な情報、すなわち衛星においては衛星の軌道、偏波、トランスポンダ毎の周波数等を示すものである。ＮＩＴ自体のＰＩＤは、上述したようにＰＡＴで指定される。図８は、ＮＩＴのテーブル構造を示している。ＰＡＴ、ＰＭＴと重複しない主な内容について説明する。テーブルＩＤは、テーブルの種別を示すものであって、当該ネットワークが“０ｘ４０”、他のネットワークが“０ｘ４１”である。ネットワークＩＤは、ネットワークを識別するものである。衛星の場合は個々の衛星に相当する。
【００３１】
変調変換方式によって衛星デジタル多チャンネル放送信号をケーブルテレビにて再送出する場合には、上記ＮＩＴが書き換えられる。ここで、ＮＩＴ中に含まれ、書換えが必要となるディスクリプタについて説明する。
【００３２】
まず、衛星系のＮＩＴ中にあるサテライト・デリバリー・システム・ディスクリプタを説明する。このディスクリプタは、ＴＳ (トランスポート・ストリーム) ディスクリプタ長に従って繰り返されるディスクリプタの１番目として使用するものであって、ＴＳ ＩＤと一対になる。
【００３３】
図９は、サテライト・デリバリー・システム・ディスクリプタの構造を示している。ディスクリプタ・タグは、ＤＶＢで規定されており、ディスクリプタの種別を示すものである。このディスクリプタでは、“０ｘ４３”となる。周波数は、ストリーム（ここではトランスポンダ）毎の伝送周波数を示すものである。軌道／西経・東経フラグ／偏波は、衛星の軌道、偏波を示すものである。変調／シンボル・レート／内側誤り訂正符号化率は、伝送方式に関する仕様を示すものである。
【００３４】
ケーブルテレビ局での再送出時には、上記サテライト・デリバリー・システム・ディスクリプタが図１０に示すようにケーブル・デリバリー・ディスクリプタに置き換えられる。ディスクリプタでは、“０ｘ４４”となる。周波数は、再送出されるケーブルテレビでの物理チャンネル毎の伝送周波数を示している。変調／シンボル・レート／内側誤り訂正符号化率は、伝送方式に関する仕様を示すものである。このディスクリプタは、全長が衛星用とケーブル用とで同じあり、単純に置き換えることができる。
【００３５】
次に、サービス・リスト・ディスクリプタを説明する。このディスクリプタは、ＴＳディスクリプタ長に従って繰り返されるディスクリプタの２番目以降として使用するものであって、当該ストリーム(ここではトランスポンダ)に多重されたサービス(チャネル)のＩＤを示すものである。すなわち、一つのＴＳＩＤに複数のサービス・リスト・ディスクリプタが附属する。
【００３６】
図１１は、サービス・リスト・ディスクリプタの構造を示している。ディスクリプタ・タグは、ＤＶＢで規定されており、ディスクリプタの種別を示すものである。このディスクリプタでは、“０ｘ４１”となる。サービスＩＤは、サービスを識別するものである。通常、サービスは視聴者が選局するチャネルと一致する。サービスタイプは、映像、音声、データ等、サービスの内容を示すものである。
【００３７】
ケーブルテレビ局での再送出時には、衛星からの全トランスポンダ分の番組をケーブル内でサービスする場合には、このディスクリプタの情報はそのままとなるが、特定のトランスポンダの信号のみをサービスする場合には再送出しないトランスポンダに含まれる番組のサービスＩＤを削除する。この場合、削除されて減った分の情報にはダミーデータを付加して、サービス・リスト・ディスクリプタの全長を衛星系と同じにすることによって、単純に置き換えることができる。
【００３８】
また、ＰＳＩテーブルの伝送は、セクション(Section)と呼ばれる形式によってセグメント化されることがＭＰＥＧ２システムによって規定されている。例えば、ＮＩＴは４ｋバイト毎にセクション化され、それぞれのセクションは、図８に示す形式によって構成される。複数のセクションに分けられたＮＩＴは、セクション番号によって関連付けられる。全セクション数はテーブル中に最終セクション番号として記述されており、セクション番号と最終セクション番号が一致するまでが一連のＮＩＴデータとなっている。
【００３９】
次に、図２に示したケーブル伝送システムにおけるケーブルテレビ局３の配信部３４の具体的な構成例について、図１２を参照して説明する。
【００４０】
この図１２に示す構成の配信部３４において、信号分配器４１は、ＣＳアンテナ３１を介して入力されたＣＳ波をチャンネル毎のＴＳ(Transport Stream)に分割し、それぞれを変調変換装置４２−１乃至４２−Ｎ（Ｎは、ＣＳ波に含まれるチャンネル数である）に出力する。なお、上述したチャンネルとは、地上波におけるチャンネル(放送局)とは異なり、１つのトランスポンダにより多重化された複数の番組が含まれる１つの伝搬波のことである。図１３は、信号分配器４１に入力される前のＣＳ波の状態の一例を示している。すなわち、ＣＳ波のＨ偏波には、ＴＳ１、ＴＳ３、及びＴＳ５が含まれ、ＣＳ波のＶ偏波には、ＴＳ２、ＴＳ４、及びＴＳ６が含まれていることを示している。
【００４１】
変調変換装置４２は、入力されたＴＳをケーブルテレビの１つのチャンネル分の信号(ＱＡＭ信号)に変換し、信号混合器４５に出力する。
【００４２】
地上波再送出装置４３は、地上波受信アンテナ３２を介して受信した地上波を、ＲＦ変換して信号混合器４５に出力し、衛星信号再送出装置４４は、ＢＳアンテナ３３が受信したＢＳ波を、ＲＦ変換して信号混合器４５に出力する。
【００４３】
図１４は、変調変換装置４２の具体的な構成例を示している。この図１４に示す構成の変調変換装置４２において、ＱＰＳＫ復調回路４２１は、入力されたＴＳをＱＰＳＫ復調して誤り訂正回路４２２に出力する。誤り訂正回路４２２は、入力された信号を誤り訂正し、誤り訂正済みのＴＳをネットワーク情報(NIT: Network Information Table)変換回路４２３に出力する。
【００４４】
ＮＩＴ変換回路４２３は、ＣＳ波用のＮＩＴ(ＣＳ波の全チャンネルに共通の情報であり、チャンネル(伝搬波)に含まれる番組の情報を示している。受信機において希望する番組を受信する際に必要となる。)を、ケーブルテレビ用のＮＩＴに置き換えてＱＡＭ変調回路４２４に出力する。
【００４５】
ＱＡＭ変調回路４２４は、入力された信号をＱＡＭ変調し、周波数変換回路４２５に出力する。周波数変換回路４２５は、入力された信号の周波数を所定の値に変換して信号混合器４５に出力する。
【００４６】
信号混合器４５は、変調変換装置４２−１乃至４２−Ｎ、地上波再送出装置４３及び衛星信号再送出装置４４、それぞれから入力されたＱＡＭ変調されている信号を、例えば図１５に示すように混合し、増幅器４６に出力する。増幅器４６は、入力された混合波を増幅し、ケーブルテレビ網４を介して受信機６に供給する。
【００４７】
ここで、ケーブル伝送では、衛星回線に比べ、伝送路の品質がよいため、誤り訂正符号としてリードソロモン(２０４，１８８)のみが付加される。このとき、例えば、衛星系において畳み込みレート３／４の符号化で１トランスポンダ当たり４２．１９２Ｍｂｐｓのデータが伝送されているとすると、ケーブル系においては３１．６４４Ｍｂｐｓのデータを伝送することになる。６ＭＨｚの帯域幅を持つケーブル１チャンネルでこの情報量を伝送するためには変調方式としての６４ＱＡＭが用いられることが適当となる。別に、衛星系において畳み込みレート７／８で符号化されている場合には、ケーブル系で３６．９１８Ｍｂｐｓのデータを伝送することとなり、変調方式として１２８ＱＡＭが適当となる。受信機６は、伝送路の物理情報を示すＮＩＴにてチャンネル毎のＱＡＭ変調方式のレベルが示されるので、これを参照することで受信方式を変更して受信することができる。
【００４８】
ここで、上記ＮＩＴ変換回路４２３の具体的な構成例について図１６ないし図２５を参照して説明する。
【００４９】
ＮＩＴ変換回路４２３は、図１６に示すように、制御装置４３１によりインターフェース４３２を介して制御されるＮＩＴ抽出部４４０及びＮＩＴ再挿入部４５０を備え、上記誤り訂正回路４２２から順次出力される誤り訂正済みのＴＳがＮＩＴ抽出部４４０とＮＩＴ再挿入部４５０に供給されるようになっている。
【００５０】
上記ＮＩＴ抽出部４４０は、上記ＴＳが供給されるＮＩＴ検出回路４４１と、このＮＩＴ検出回路４４１によりＴＳ中から検出されたＮＩＴを一時的に記憶するメモリ４４２からなる。
【００５１】
上記ＮＩＴ抽出部４４０の具体的な構成例を図１７に示してあるように、ＮＩＴ検出回路４４１は、制御部４４３によりにより制御されるＮＩＴ・ＰＩＤフィルタ４４４と、このＮＩＴ・ＰＩＤフィルタ４４４により検出されたＮＩＴを上記メモリ４４２に出力するＮＩＴパケット出力回路４４５からなる。また、上記メモリ４４２は、ＦＩＦＯ（First In First Out）メモリからなり、上記制御装置４３１によりインターフェース４３２を介してデータの書き込み及び読み出しが制御される。
【００５２】
ここで、複数の衛星によりサービスが行われている場合には、ＴＳ中に当該ＴＳに関するＮＩＴａ(Actual Network Information Table)と他の衛星によって伝送されているＴＳに関わるＮＩＴｏ（Other Network Information Table）の複数のＮＩＴを持つことになり、これらはテーブルＩＤによって識別することができる。上記ＮＩＴ抽出部４４０では、上記ＮＩＴ検出回路４４１においてＮＩＴａとＮＩＴｏの両方に対してＮＩＴ検出が行われ、検出した順に上記ＦＩＦＯメモリ４４２に書き込まれていく。上記ＦＩＦＯメモリ４４２への書き込みはＴＳと同期した書き込みクロックwrite_clkを使用して行われ、上記ＮＩＴ検出回路４４１によるＩＮＴの検出と上記ＦＩＦＯメモリ４４２への書き込み処理はリアルタイムに行われるようになっている。
【００５３】
このＮＩＴ抽出部４４０は、図１８のフローチャートに示す手順に従って、ＮＩＴの抽出処理を行う。
【００５４】
すなわち、このＮＩＴ抽出部４４０は、制御装置４３１からの検出開始信号start を制御部４４３が受け付けることにより動作状態になり、ＰＩＤ (＝”０ｘ００１０”) を参照することでＴＳパケット毎にＮＩＴの検出動作を行う。
【００５５】
制御部４４３は、ＴＳパケットをＮＩ・ＰＩＤフィルタ４４４に取り込み (ステップＳ１) 、ＮＩＴのＰＩＤを判定し(ステップＳ２)、ＮＩＴのＰＩＤが検出されると、ＮＩＴの先頭データであるか否かを判定して(ステップＳ３)、ＮＩＴのＰＩＤが検出されたパケットにテーブルＩＤを含む場合には、自ネットワークのテーブル又は他ネットワークのテーブルであるかをテーブルＩＤ (自ネットワーク”０ｘ４０”、他ネットワーク”０ｘ４１”) を参照することで確認して (ステップＳ４) 、上記ＮＩＴ・ＰＩＤフィルタ４４４により検出されたＮＩＴをＮＩＴパケット出力回路４４５から出力し、検出開始後、最初に受信したテーブルの先頭データより(つまりテーブルＩＤ)からＦＩＦＯメモリ４４２に書き込んでいく(ステップＳ５，Ｓ６)。
【００５６】
さらに、制御部４４３は、自ネットワークのＮＩＴａ、他ネットワークのＮＩＴｏの両方のＮＩＴを抽出したか否かを判定し(ステップＳ７)、抽出が終了していない場合にはステップＳ１に戻ることにより、ＴＳパケットの１８８バイト毎に上記ＮＩＴを抽出処理を繰り返し行う(ステップＳ８)。
【００５７】
そして、制御部４４３は、自ネットワークのＮＩＴａ、他ネットワークのＮＩＴｏの両方のＮＩＴを一通り検出し、ＦＩＦＯメモリ４４２に書き込み後、制御装置に抽出の終了を通知し、一連の検出動作を終了する。書き込み終了後、ＦＩＦＯには図１９に示すようにＮＩＴデータが保持されることになる。
【００５８】
また、上記ＮＩＴ再挿入部４５０は、図２０に具体的な構成例を示してあるように、上記制御装置４３１からインターフェース４３２を介してケーブル用のＮＩＴデータが送られてくるメモリ部４５１と、上記ＴＳが供給されるＮＩＴ置換回４５２からなり、ケーブル用のＮＩＴデータをメモリ部４５１に記憶しておき、衛星系から送られてくるＴＳのＮＩＴをケーブル用のＮＩＴデータにＮＩＴ置換回路４５２により順次置き換える。
【００５９】
上記メモリ部４５１は、上記制御装置４３１からインターフェース４３２を介してケーブル用のＮＩＴデータが送られてくるＦＩＦＯメモリ４５３と、このＦＩＦＯメモリ４５３からケーブル用のＮＩＴデータを引き出して記憶しておく２個のＳＲＡＭ４５４Ａ，４５４Ｂと、ＳＲＡＭ４５４Ａ，４５４Ｂのアドレスを生成するアドレスカウンタ４５５からなる。このメモリ部４５１は、上記制御装置４３１によりインターフェース４３２を介してＦＩＦＯメモリ４５３へのデータの書き込み及び読み出しが制御されるようになっており、上記制御装置４３１からインターフェース４３２を介して送られてくるケーブル用のＮＩＴデータをＦＩＦＯメモリ４５３に保持しておき、このＦＩＦＯメモリ４５３からケーブル用のＮＩＴデータを引き出してＳＲＡＭ４５４Ａ又はＳＲＡＭ４５４Ｂに記憶しておいて、衛星系からＴＳのＮＩＴがＮＩＴ置換回路４５２に繰り返し送られてくるたびに、ケーブル用のＮＩＴデータをＳＲＡＭ４５４Ａ又はＳＲＡＭ４５４Ｂから上記ＮＩＴ置換回路４５２に送り出す。
【００６０】
上記ＮＩＴ置換回路４５２は、上記ＴＳが供給されるＮＩＴパケット検出回路４５６と、このＮＩＴパケット検出回路４５６の検出出力が供給される制御部４５７と、この制御部４５７により切替え制御されるＲＡＭ切替回路４５８と、上記ＮＩＴパケット検出回路４５６の検出出力により切替え制御されるＮＩＴ切替回路４５９からなる。
【００６１】
このＮＩＴ再挿入部４５０における上記メモリ部４５１の２個のＳＲＡＭ４５４Ａ，４５４Ｂは、上記ＮＩＴ置換回路４５２の制御部４５７によってデータの書き込み及び読み出しが制御されるようになっており、ＮＩＴの書換えのたびに交互に使用される。すなわち、上記ＮＩＴ置換回路４５２の制御部４５７は、例えば、一方のＳＲＡＭ４５４Ａに書き込まれたデータを上記ＮＩＴ置換回路４５２に出力している間、他方のＳＲＡＭ４５４Ｂを出力オフの状態にしておき、最新のケーブル用のＮＩＴデータをＦＩＦＯメモリ４５４Ａを介してＳＲＡＭ４５４Ｂに書き込む。そして、ＳＲＡＭ４５４Ｂへの最新のケーブル用のＮＩＴデータの書き込みを終了すると、ＳＲＡＭ４５４Ｂを出力オンの状態にして、上記ＮＩＴ置換回路４５２にＮＩＴデータを出力できるようにするとともに、上記ＳＲＡＭ４５４Ａを出力オフの状態にして次の書換えまで待機させておく。このＦＩＦＯメモリ４５３からＳＲＡＭ４５４Ａ，４５４Ｂへデータを転送して書き込むＮＩＴデータの書換え処理は、ＴＳに同期したクロックでリアルタイムに行われる。
【００６２】
ここで、上記ＦＩＦＯメモリ４５３には、上記制御装置４３１によりインターフェース４３２を介してケーブル用のＮＩＴデータが自ネットワークのＮＩＴａ、他ネットワークのＮＩＴｏの順に書き込まれる。これにより、自ネットワークのＮＩＴａと他ネットワークのＮＩＴｏが、図２１に示すように、ＦＩＦＯメモリ４５３に格納される。
【００６３】
そして、上記ＮＩＴ置換回路４５２は、上記制御装置４３１から転送開始信号startを制御部４５７が受け付けると、ＦＩＦＯメモリ４５３からＳＲＡＭ４５４Ａ又はＳＲＡＭ４５４ＢへＮＩＴデータを転送する。転送操作は、自ネットワークのＮＩＴａから始め、ＮＩＴａのデータをＳＲＡＭにすべて書き込んだ後に、他ネットワークのＮＩＴｏのデータをＳＲＡＭのＮＩＴａの格納場所と異なる格納場所に書き込んでいく。ＳＲＡＭ４５４Ａ，４５４Ｂに対するＮＩＴデータの書き込みの例を図２２に示す。
【００６４】
このＮＩＴ置換回路４５２において、ＦＩＦＯメモリ４５３からＳＲＡＭ４５４Ａ，４５４ＢへのＮＩＴデータの転送処理は、図２３のフローチャートに示す手順に従って行われる。
【００６５】
すなわち、上記ＮＩＴ置換回路４５２では、制御部４５７によりＴＳパケット毎にＲＡＭ切替回路４５８を切替え制御して、ＴＳパケットに対応して例えば一方のＳＲＡＭ４５４Ａを選択している状態で(ステップＳ１１)、上記ＮＩＴパケット検出回路４５６により検出されたＮＩＴパケットが自ネットワークのＮＩＴａパケットであるか否かを判定し(ステップＳ１２)、ＮＩＴａパケットであるときには、制御部４５７にメモリ部４５１への書き込み許可を出すとともにアドレスカウンタ４５５をスタートさせ(ステップＳ１３)、アドレスカウンタ４５５によりアドレスを生成させて(ステップＳ１４)、ＦＩＦＯメモリ４５３から他方のＳＲＡＭ４５４Ｂに自ネットワークのＮＩＴａデータを転送して書き込む（ステップＳ１５）。
【００６６】
そして、ＳＲＡＭ４５４Ｂへの自ネットワークのＮＩＴａデータの書き込みを終了したとき(ステップＳ１５)、あるいは、上記ステップＳ１２において上記ＮＩＴパケット検出回路４５６により検出されたＮＩＴパケットが自ネットワークのＮＩＴａパケットでないときには、上記ＮＩＴパケット検出回路４５６により検出されたＮＩＴパケットが他ネットワークのＮＩＴｏパケットであるか否かを判定し(ステップＳ１７)、ＮＩＴｏパケットでないときには、ステップＳ１１に戻って、上記ＮＩＴパケット検出回路４５６により自ネットワークのＮＩＴａパケットあるいは他ネットワークのＮＩＴｏパケットが検出されるのを待機し、ＮＩＴｏパケットであるときには、制御部４５７にメモリ部４５１への書き込み許可を出すとともにアドレスカウンタ４５５をスタートさせ(ステップＳ１８)、アドレスカウンタ４５５によりアドレスを生成させて(ステップＳ１９)、ＳＲＡＭ４５４Ｂに他ネットワークのＮＩＴｏデータを書き込む(ステップＳ２０)。
【００６７】
ＳＲＡＭ４５４Ｂへの他ネットワークのＮＩＴｏデータの書き込みを終了すると(ステップＳ２１)、１つのＴＳパケットについて処理を終了したか否かを判定し(ステップＳ２２)、１つのＴＳパケットに対する処理が終了していないときにはステップＳ１１に戻り、１つのＴＳパケットに対する処理を終了したときには、制御装置に終了を通知し、他方のＳＲＡＭ４５４Ｂを選択するようにＲＡＭ切替回路４５８を制御して(ステップＳ２３)、ＦＩＦＯメモリ４５３からＳＲＡＭ４５４ＢへのＮＩＴデータの転送処理を終了する。
【００６８】
このようにして、新たに書き換えられたＮＩＴデータを格納したＳＲＡＭ４５４Ｂを使用状態にし、これまで使用していたＳＲＡＭ４５４Ａを次回のＮＩＴ書換えのために待機状態にしておく。
【００６９】
また、このＮＩＴ置換回路４５２では、上述のようにしてＦＩＦＯメモリ４５３から他方のＳＲＡＭ４５４ＢへのＮＩＴデータの転送処理を行いながら、一方のＳＲＡＭ４５４Ａに記憶されているＮＩＴデータを用いて、衛星系から送られてくるＴＳのＮＩＴをケーブル用のＮＩＴデータに置き換える置換処理を図２４のフローチャートに示す手順に従って行う。
【００７０】
すなわち、上記ＮＩＴ置換回路４５２では、上記ＮＩＴパケット検出回路４５６により検出されたＮＩＴパケットが自ネットワークのＮＩＴａパケットであるか否かを判定し(ステップＳ３１)、ＮＩＴａパケットであるときには、メモリ部４５１からの読み出し許可を出すとともにアドレスカウンタ４５５をスタートさせ(ステップＳ３２)、アドレスカウンタ４５５によりアドレスを生成させて (ステップＳ３３)、ＳＲＡＭ４５４Ａから自ネットワークのＮＩＴａデータを読み出してＲＡＭ切替回路４５８を介してＮＩＴ切替回路４５７に供給する (ステップＳ３４)。
【００７１】
上記ＮＩＴ切替回路４５７は、上記ＮＩＴパケット検出回路４５６からの検出出力によりＮＩＴパケットの期間だけ、上記誤り訂正回路４２２側から上記ＲＡＭ切替回路４５８側に切り替えられる。これにより、衛星系から送られてきたＴＳのＮＩＴパケットの内容をケーブル用のＮＩＴａデータに置き換える (ステップＳ３５)。
【００７２】
そして、ＳＲＡＭ４５４Ａからの自ネットワークのＮＩＴａデータの読み出しを終了したとき(ステップＳ３６)、あるいは、上記ステップＳ３１において上記ＮＩＴパケット検出回路４５６により検出されたＮＩＴパケットが自ネットワークのＮＩＴａパケットでないときには、上記ＮＩＴパケット検出回路４５６により検出されたＮＩＴパケットが他ネットワークのＮＩＴｏパケットであるか否かを判定し(ステップＳ３７)、ＮＩＴｏパケットでないときには、ステップＳ３１に戻って、上記ＮＩＴパケット検出回路４５６により自ネットワークのＮＩＴａパケットあるいは他ネットワークのＮＩＴｏパケットが検出されるのを待機し、ＮＩＴｏパケットであるときには、メモリ部４５１からの読み出し許可を出すとともにアドレスカウンタ４５５をスタートさせ(ステップＳ３８)、アドレスカウンタ４５５によりアドレスを生成させて(ステップＳ３９)、ＳＲＡＭ４５４Ａから他ネットワークのＮＩＴｏデータを読み出す(ステップＳ４０)。
【００７３】
上記ＳＲＡＭ４５４Ａからの他ネットワークのＮＩＴｏデータの読み出しを終了すると(ステップＳ４１)、ステップＳ３１に戻って、上記ＮＩＴパケット検出回路４５６により次の自ネットワークのＮＩＴａパケットあるいは他ネットワークのＮＩＴｏパケットが検出されるのを待機する。
【００７４】
このような構成のＮＩＴ変換回路４２３において、上記ＮＩＴ抽出部４４０によりＦＩＦＯメモリ４４２に取り込まれた衛星系のＮＩＴデータは、インターフェース４３２を介して制御装置４３１に送られる。制御装置４３１は、ソフトウエア処理により上記衛星系のＮＩＴを元に戻してケーブル伝送に合ったＮＩＴを生成する。そして、ケーブル用に変換されたＮＩＴデータが、上記制御装置４３１からインターフェース４３２を介して上記ＮＩＴ置換部４５０のＦＩＦＯメモリ４５３に供給される。この実施の形態におけるＮＩＴ置換部４５０では、ＮＩＴａ，ＮＩＴｏの順でＦＩＦＯメモリ４５３にデータが書き込まれる。
【００７５】
このような構成のＮＩＴ変換回路４２３では、図２５のフローチャートに示す手順に従って、ＮＩＴ処理を行う。
【００７６】
すなわち、先ず、バージョン番号を付け替え(ステップＳ５１)、必要に応じてネットワークＩＤも付け替える(ステップＳ５２)。
【００７７】
そして、衛星ネットワークからのＴＳの処理ループに入って (ステップＳ５３) 、衛星ネットワークからのストリーム(ここではトランスポンダ)がケーブルネットワークに再送するトランスポンダであるか否かを判定する (ステップＳ５４) 。再送するトランスポンダであるときには、サービス・リスト・ディスクリプタ(Service_list_descriptor) であることを確認して(ステップＳ５５)、再送サービスであるか否かを判定する(ステップＳ５６)。
【００７８】
再送サービスでないときには、サービスＩＤやサービスタイプを削除する。すなわち、再送出しているストリーム中のサービスをしない番組の情報 (サービスＩＤ) やサービスタイプを削除する(ステップＳ５７)。
【００７９】
再送サービスであるとき、又は、上記サービスＩＤやサービスタイプを削除下後に、ディスクリプタ長を確認して(ステップＳ５８)、サービス・リスト・ディスクリプタ(Service_list_descriptor) 長の付け替え、スタッフィング・ディスクリプタ(Stuff_descriptor)を挿入し(ステップＳ５９)、さらに、サテライト・デリバリー・ディスクリプタ(Sattelite_delivery_descriptor) をケーブル・デリバリー・ディスクリプタ(Cable_delivery_descriptor) に置き換える (ステップＳ６０) 。
【００８０】
このように、ＮＩＴの書換え処理において、例えば衛星ネットワークからのストリーム(ここではトランスポンダ)をケーブルネットワークに再送する場合は、少なくともサテライト・デリバリー・ディスクリプタ(Sattelite_delivery_descriptor)をケーブル・デリバリー・ディスクリプタ(Cable_delivery_descriptor)に置き換えることで、周波数情報の整合をとる。このことは、ケーブル用の受信機で受信動作を可能にするめに最小限必要な処理である。また、ケーブルネットワークに再送出されないストリーム(ここではトランスポンダ)に関する情報、再送出しているストリーム中のサービスをしない番組の情報(サービスＩＤ)を削除し、ダミーデータ等で目減りしたデータ分を埋め合わせる。さらに必要に応じてＮＩＴ中のセクション長、ディスクリプタ長などのデータ長に関する部分を、ＮＩＴバージョン番号、ビット誤り指標などの整合をとる。
【００８１】
なお、ダミーデータは、受信機において不良動作を起こさないような取決めを行う必要がある。例えば、スタッフィング・テーブルＩＤ，スタッフィング・ディスクリプタ・タグなどを取り決めて、送信機の仕様として取り決めておき、そのようなテーブルＩＤやディスクリプタ・タグが伝送されてきた場合には、受信機側で無視するようにすればよい。
【００８２】
また、再送するトランスポンダでないときには、サービス・リスト・ディスクリプタ(Service_list_descriptor) とサテライト・デリバリー・ディスクリプタ(Sattelite_delivery_descriptor) をスタッフィング・ディスクリプタ(Stuff_descriptor)に置き換える（ステップＳ６１）。
【００８３】
上記再送するトランスポンダに対する処理(ステップＳ５５〜Ｓ６０)、又は、再送しないトランスポンダに対する処理(ステップＳ６１)を行うたびに、ＴＳのループ長を確認して、ステップＳ５３に戻って、ステップＳ５３〜Ｓ６２の処理をＴＳのループ長に亘って繰り返し(ステップＳ６２)、その後にＣＲＣ３２を付け替えて(ステップＳ６３)、ＮＩＴの書換え処理を終了する。
【００８４】
同様にして、他ネットワークに関するネットワーク情報を書き換えることができる。例えば、２つの衛星によりサービスが行われている場合に、片方のサービスしかケーブルネットワーク内に再送出しないときには他ネットワークのＮＩＴｏのセクションはスタッフィング・テーブルＩＤを利用してダミーデータ化してしまう。両衛星ネットワークのＮＩＴａをそれぞれケーブルネットワーク内でのサービス状況に合わせた書換えを行い、同時にＮＩＴａと整合をとってＮＩＴｏを書き換える。
【００８５】
次に、図２に示したケーブル伝送システムにおける受信機６の具体的な構成例について、図２６を参照して説明する。
【００８６】
この図２６に示した構成の受信機６において、ケーブルフロントエンド部６１の受信チューナ６２は、混合波から所定の番組を含むＴＳを抽出し、ＱＡＭ復調回路６３に出力する。ＱＡＭ復調回路６３は、入力されたＴＳをＱＡＭ復調して誤り訂正回路６４に出力する。誤り訂正回路６４は、入力されたＴＳの誤り情報を訂正し、トランスポート部６５に出力する。トランスポート部６５のデスクランブラ６６は、ＴＳに施されているスクランブルを、衛星放送サービス事業者１が発行したＩＣカード６０に記録されているデスクランブル情報を用いて復号 (デスクランブル) し、デマルチプレクサ６７に出力する。
【００８７】
デマルチプレクサ６７は、複数の番組情報が多重化されたＴＳから所定の番組情報を抽出してＭＰＥＧデコード部６８に供給する。ＭＰＥＧデコード部６８は、入力された番組情報をＭＰＥＧ伸張して映像信号と音声信号を生成し、テレビジョン受像機７に出力する。
【００８８】
ホストプロセッサ６９は、視聴者の選局操作に基づいて、受信機６全体を制御するとともに、受信した有料番組の情報(番組視聴情報)をＩＣカード６０に記録する。また、ホストプロセッサ６９は、ＩＣカード６０に記録されているデスクランブル情報を読み出してデスクランブラ６６に供給する。さらに、ホストプロセッサ６９は、通信部７０を制御して、定期的にＩＣカード６０に記録されている番組視聴情報を公衆電話回線を介して衛星放送サービス業者１の視聴情報処理部１４に通知する。
【００８９】
次に、ケーブルテレビ局３における配信部３４による情報配信処理について、図２７のフローチャートを参照して説明する。
【００９０】
ステップＳ７１において、ＣＳアンテナ３１は、通信衛星２を介してＣＳ波を受信して配信部３４に出力する。地上波アンテナ３２は、地上波を受信して配信部３４に出力する。ＢＳアンテナ３３は、放送衛星を介してＢＳ波を受信し、配信部３４に出力する。
【００９１】
ステップＳ７２において、信号分配器４１は、ＣＳ波を１つのトランスポンダに対応するＴＳ毎に分割し、それぞれを変調変換装置４２−１乃至４２−Ｎに出力する。地上波再送出装置４４は、入力された地上波をＲＦ変換して信号混合器４５に出力する。衛星信号再送出装置４４は、入力されたＢＳ波をＲＦ変換して信号混合器４５に出力する。
【００９２】
ステップＳ７３において、変調変換装置４２のＱＰＳＫ復調回路４２１は、入力されたＴＳをＱＰＳＫ復調し、誤り訂正回路４２２に出力する。
【００９３】
ステップＳ７４において、誤り訂正回路４２２は、入力された信号の誤り訂正を行いＮＩＴ変換回路４２３に出力する。
【００９４】
ステップＳ７５において、ＮＩＴ変換回路４２３は、ＣＳ波用のＮＩＴを、ケーブルテレビ用のＮＩＴに置き換えてＱＡＭ変調回路４２４に出力する。
【００９５】
ステップＳ７６において、ＱＡＭ変調回路４２４は、入力された信号をＱＡＭ変調し、周波数変換回路４２５に出力する。
【００９６】
ステップＳ７７において、周波数変換回路４２５は、入力された信号の周波数をケーブルテレビ網４において伝送可能な所定の値に変換し、信号混合器４５に出力する。
【００９７】
ステップＳ７８において、信号混合器４５は、変調変換装置４２−１乃至４２−Ｎ、地上波再送出装置４３、及び衛星信号再送出装置４４、それぞれから入力されたＱＡＭ変調されている信号を混合して増幅器４６に出力する。
【００９８】
ステップＳ７９において、増幅器４６は、入力された混合波を増幅し、ケーブルテレビ網４を介して受信機６に配信する。
【００９９】
次に、受信機６の番組受信処理について、図２８のフローチャートを参照して説明する。
【０１００】
ステップＳ８１において、ケーブルフロントエンド部６１の受信チューナ６２は、視聴者が選択した番組(ＣＳ波に含まれる番組)を含むＴＳを混合波から抽出し、ＱＡＭ復調回路６３に出力する。
【０１０１】
ステップＳ８２において、ＱＡＭ復調回路６３は、入力されたＴＳをＱＡＭ復調して誤り訂正回路６４に出力する。
【０１０２】
ステップＳ８３において、誤り訂正回路６４は、入力されたＴＳの誤り情報を訂正し、トランスポート部６５に出力する。
【０１０３】
ステップＳ８４において、トランスポート部６５のデスクランブラ６６は、ＴＳに施されているスクランブルを、衛星放送サービス事業者１が発行したＩＣカード６０に記録されているデスクランブル情報を用いて復号し、デマルチプレクサ６７に出力する。
【０１０４】
ステップＳ８５において、デマルチプレクサ６７は、ＴＳを多重分離し、視聴者が選択した番組の情報を抽出してＭＰＥＧデコード部６８に供給する。
【０１０５】
ステップＳ８６において、ＭＰＥＧデコード部６８は、入力された番組情報をＭＰＥＧ伸張して映像信号と音声信号を生成し、テレビジョン受像機７に出力する。テレビジョン受像機７は、入力された映像信号と音声信号を再生する。
【０１０６】
ステップＳ８７において、ホストプロセッサ６９は、受信した番組が有料 (ペイパービュー) 番組である場合、その情報(番組視聴情報)をＩＣカード６０に記録する。通信部７０は、定期的にＩＣカード６０に記録されている番組視聴情報を公衆電話回線、及び視聴情報処理部１４を介して顧客管理部１５に通知する。
【０１０７】
なお、視聴者が地上波、又はＢＳ波で送信された番組を選択した場合、その番組情報は多重化されておらず、ＭＰＥＧ圧縮も施されていないので、ステップＳ８５における多重分離と、ステップＳ８６におけるＭＰＥＧ伸張は行われない。
【０１０８】
次に、ケーブルテレビ局３から送られてくる信号を受信する受信端末装置５の受信機６の動作例について図２９に示すフローチャートを参照して説明する。
【０１０９】
なお、ＰＡＴ及びＰＭＴにおいてはプログラム番号が、ＮＩＴにおいてはサービスＩＤが、それぞれの視聴者が選局するチャネル番号に該当する。さらに、ＮＩＴがネットワーク全体、すなわち全てのトランスポンダの情報を含み、同一のテーブルが全てのトランスポンダで並行に伝送されるのに対し、ＰＡＴ及びＰＭＴは、それぞれが伝送される物理チャンネル内の番組の情報だけからなり、各物理チャンネル毎に異なった内容となっている。
【０１１０】
例えば、視聴者が「Ｍ」チャネルを選局したとすると、ホストプロセッサ６９は、デマルチプレクサ６７で固定のＰＩＤによってＮＩＴが取得されるように制御し、そのＮＩＴの各ＴＳＩＤに附属するサービス・リスト・ディスクリプタ内のサービスＩＤについて「Ｍ」をサーチする(ステップＳ９１)。
【０１１１】
そして、サービスＩＤ「Ｍ」があるとき(ステップＳ９２)、ホストプロセッサ６９は、サービスＩＤ「Ｍ」を含むサービス・リスト・ディスクリプタの前に組み合わされているＣＡＴＶ・デリバリー・システム・ディスクリプタより、「Ｍ」チャネルを伝送しているトランスポンダの周波数を認識し、チューナ６２の受信周波数を制御する(ステップＳ９３)。これにより、チューナ６２では、「Ｍ」チャネルを伝送している変調変換装置４２からのデジタル放送信号が選択されることとなる。
【０１１２】
そして、ホストプロセッサ６９は、デマルチプレクサ６７で固定のＰＩＤによってＰＡＴが取得されるように制御し、そのＰＡＴ内のプログラム番号について「Ｍ」をサーチしてＰＡＴ内のプログラム番号「Ｍ」を認識し、そのプログラム番号「Ｍ」に付随するプログラム・マップＰＩＤを得る(ステップＳ９４)。そして、ホストプロセッサ６９は、デマルチプレクサ６７でプログラム・マップＰＩＤによってＰＭＴが取得されるように制御し、そのＰＭＴ内でプログラム番号「Ｍ」に対応するストリーム・タイプ(映像、音声等)毎のエレメンタリーＰＩＤを認識する(ステップＳ９５)。
【０１１３】
そして、ホストプロセッサ６９は、デマルチプレクサ６７でエレメンタリーＰＩＤと一致するＰＩＤを持つＴＳパケットが分離されるように制御する (ステップＳ９６) 。この場合、ホストプロセッサ６９では、「Ｍ」チャネルのビデオデータやオーディオデータのパケットが分離されるとともに、その「Ｍ」チャネルの付加データのパケットも分離される。
【０１１４】
ここで、ホストプロセッサ６９は、付加データ・ストリームＳＤＳより抽出される限定受信情報をＩＣカード６０に供給する。ＩＣカード６０では、その限定受信情報に基づき視聴の可／不可が判断される。そして、可の場合には、ＩＣカード６０より、スクランブルの鍵情報がホストプロセッサ６９に送られる。この鍵情報は、ホストプロセッサ６９により、デスクランブラ６６にセットされる。これにより、デスクランブラ６６では、スクランブルされているビデオデータやオーディオデータのパケットのスクランブルが解除され、したがってデマルチプレクサ６７より得られるビデオデータ・ストリームやオーディオデータ・ストリームは、スクランブルが解除されたデータに係るものとなる。
【０１１５】
そして、デマルチプレクサ６７より出力されるビデオデータやオーディオデータがデコードされ、「Ｍ」チャネルのビデオ信号やオーディオ信号が得られる (ステップＳ９７) 。すなわち、デマルチプレクサ６７より出力されるビデオデータ・ストリームＶＤＳに対してＭＰＥＧデコード部６８でデータ伸長等の処理が行われてビデオ信号ＳＶが生成され、このビデオ信号が出力される。また、デマルチプレクサ６７より出力されるオーディオデータ・ストリームに対してＭＰＥＧデコード部６８でデータ伸長等の処理が行われてオーディオ信号が生成され、このオーディオ信号が出力される。ＭＰＥＧデコード部６８により得られるビデオ信号とオーディオ信号をテレビジョン受像機７に供給することで、「Ｍ」チャネルの画像を表示でき、また、「Ｍ」チャネルの音声を出力できる。
【０１１６】
また、ステップＳ９２において各ＴＳＩＤに附属するサービス・リスト・ディスクリプタ内のサービスＩＤについて「Ｍ」をサーチした結果、サービスＩＤ「Ｍ」がないときには、ホストプロセッサ６９は図示しない表示部に受信不可である旨を表示させ(ステップＳ９８)、受信動作を終了する。したがって、上述したようにＮＩＴ変換回路４２３において、視聴制限すべきサービス(番組)の情報として、ＮＩＴより、ＴＳＩＤに係る情報やサービス・リスト・ディスクリプタのサービスの情報が削除される場合、受信機６では、そのサービス(番組)の受信が不可能となる。
【０１１７】
なお、図２９のフローチャートでは、「Ｍ」チャネルの選局がある毎にステップＳＴ１でＮＩＴを取得し、そのＮＩＴを利用して「Ｍ」のサーチを行うように説明したが、内容変更がある毎にＮＩＴを随時取得してホストプロセッサ６９の内蔵メモリに記憶しておき、そのＮＩＴを利用して「Ｍ」のサーチを行うようにしてもよい。因に、ＮＩＴの内容の変更は、バージョン番号で認識される。
【０１１８】
図２６に示した本実施の形態の受信機６は、図３２に示したデジタル衛星放送用の受信機１８２の衛星フロントエンド部１９１をケーブルフロントエンド部６１に交換することにより実現できるので、その製造コストを低下させることが可能である。
【０１１９】
また、本実施の形態によれば、ケーブルテレビにとって最もコストがかかる課金計算等の視聴情報管理を衛星放送サービス事業者と共通にすることができるので、そのコストを低下させることが可能である。
【図面の簡単な説明】
【０１２０】
【図１】本発明を適用したケーブル伝送システムの構成を示す概念図である。
【図２】上記ケーブル伝送システムにおけるセンター局、ケーブルテレビ局及び受信端末装置の各構成を示す図である。
【図３】ＭＰＥＧ２トランスポートパケットとＤＶＢシステムのフレーム構成を示す図である。
【図４】ＭＰＥＧ２トランスポートパケットのパケット構造を示す図である。
【図５】ＰＥＳパケットのパケット構造を示す図である。
【図６】プログラム・アソシエーション・テーブル(ＰＡＴ)のテーブル構造を示す図である。
【図７】プログラム・マップ・テーブル(ＰＭＴ)のテーブル構造を示す図である。
【図８】ネットワーク・インフォメーション・テーブル(ＮＩＴ)のテーブル構造を示す図である。
【図９】ＮＩＴにおけるサテライト・デリバリー・システム・ディスクリプタの構造を示す図である。
【図１０】ＮＩＴにおけるＣＡＴＶ・デリバリー・システム・ディスクリプタの構造を示す図である。
【図１１】ＮＩＴにおけるサービス・リスト・ディスクリプタの構造を示す図である。
【図１２】上記ケーブル伝送システムにおけるケーブルテレビ局の配信部の構成例を示すブロック図である。
【図１３】ＣＳ波の直線偏波を説明する図である。
【図１４】上記配信部における変調変換装置の構成例を示すブロック図である。
【図１５】混合波を説明する図である。
【図１６】上記変調変換装置におけるＮＩＴ変換回路の構成例を示すブロック図である。
【図１７】上記ＮＩＴ変換回路におけるＮＩＴ抽出部の構成例を示すブロック図である。
【図１８】上記ＮＩＴ抽出部によるＮＩＴ抽出処理を説明するフローチャートである。
【図１９】上記ＮＩＴ抽出部におけるＦＩＦＯメモリへの書き込み例を示す図である。
【図２０】上記ＮＩＴ変換回路におけるＮＩＴ置換部の構成例を示すブロック図である。
【図２１】上記ＮＩＴ置換部におけるＦＩＦＯメモリへの書き込み例を示す図である。
【図２２】上記ＮＩＴ置換部におけるＳＲＡＭへの書き込み例を示す図である。
【図２３】上記ＮＩＴ置換部におけるＦＩＦＯメモリからＳＲＡＭへのデータ転送処理を説明するフローチャートである。
【図２４】上記ＮＩＴ置換部におけるＮＩＴ置換回路によるＮＩＴ置き換え処理を説明するフローチャートである。
【図２５】上記ＮＩＴ置換部におけるＮＩＴ置き換え処理を説明するフローチャートである。
【図２６】上記ケーブル伝送システムにおける受信機の構成例を示すブロック図である。
【図２７】上記配信部による情報配信処理を説明するフローチャートである。
【図２８】上記受信機による番組受信処理を説明するフローチャートである。
【図２９】上記受信機による「Ｍ」チャンネルの選局処理を説明するフローチャートである。
【図３０】従来のケーブルテレビ受信機の構成の一例を示すブロック図である。
【図３１】デジタル多チャンネル衛星放送システムの構成を示す概念図である。
【図３２】上記デジタル多チャンネル衛星放送システムにおける受信機の構成の一例を示すブロック図である。
【符号の説明】
【０１２１】
１  センター局、２  通信衛星、３，３1〜３n  ケーブルテレビ局、４1〜４n  ケーブルテレビ網、５，５11〜５nm  受信端末装置、６  受信機、７  テレビジョン受像機、１１  送信部、１２  視聴者管理部、１３  鍵管理部、１４  視聴情報処理部、３４  配信部、３５  顧客管理部、４１  信号分配器、４２−１〜４２−Ｎ  変調変換装置、４５  信号混合器、６０  ＩＣカード、６１  ケーブルフロントエンド部、６２  受信チューナ、６３  QAM復調回路、６４  誤り訂正回路、６５  トランスポート部、６６  デスクランブラ、６７  デマルチプレクサ、６８  MPEGデコード部、６９  ホストプロセッサ、７１  通信部
【図１】
0004591483.tif 000002
【図２】
0004591483.tif 000003
【図３】
0004591483.tif 000004
【図４】
0004591483.tif 000005
【図５】
0004591483.tif 000006
【図６】
0004591483.tif 000007
【図７】
0004591483.tif 000008
【図８】
0004591483.tif 000009
【図９】
0004591483.tif 000010
【図１０】
0004591483.tif 000011
【図１１】
0004591483.tif 000012
【図１２】
0004591483.tif 000013
【図１３】
0004591483.tif 000014
【図１４】
0004591483.tif 000015
【図１５】
0004591483.tif 000016
【図１６】
0004591483.tif 000017
【図１７】
0004591483.tif 000018
【図１８】
0004591483.tif 000019
【図１９】
0004591483.tif 000020
【図２０】
0004591483.tif 000021
【図２１】
0004591483.tif 000022
【図２２】
0004591483.tif 000023
【図２３】
0004591483.tif 000024
【図２４】
0004591483.tif 000025
【図２５】
0004591483.tif 000026
【図２６】
0004591483.tif 000027
【図２７】
0004591483.tif 000028
【図２８】
0004591483.tif 000029
【図２９】
0004591483.tif 000030
【図３０】
0004591483.tif 000031
【図３１】
0004591483.tif 000032
【図３２】
0004591483.tif 000033